(57)【要約】【課題】共締めを解除してコントロールユニットを取り外した状態でブラケットに設けられたＯ字形状の突部に嵌まり込んだ状態の磁石を取り外しやすくすること。【解決手段】機器本体の前面に着脱自在に取り付け得るコントロールユニットの背面には磁石取付用のネジ孔が形成され、前記コントロールユニットを取り付けるための磁性体材料からなるブラケットには共締め用ネジ孔が形成され、前記ブラケットと前記コントロールユニットの間に、取付用の孔のあいた磁石を挟んだ状態で、前記ブラケットの共締め用ネジ孔と前記磁石の取付用の孔と前記コントロールユニットの磁石取付用のネジ孔とにネジを通して、前記ブラケットと前記磁石と前記コントロールユニットとを共締め可能に形成されたコントロールユニットの取付構造であって、前記ブラケットには、前記磁石を磁気的に吸着させるときに、前記磁石の周囲の一部を囲んで位置決めするための位置決め突部が形成されるとともに、前記位置決め突部は、その一部に開口部が形成されている構造にした。【選択図】図３
2010232289.tif 000002
【特許請求の範囲】
【請求項１】
機器本体の前面に着脱自在に取り付け得るコントロールユニットの背面には磁石取付用のネジ孔が形成され、
前記コントロールユニットを取り付けるための磁性体材料からなるブラケットには共締め用孔が形成され、
前記ブラケットと前記コントロールユニットの間に、取付用の孔のあいた磁石を挟んだ状態で、前記ブラケットの共締め用孔と前記磁石の取付用の孔と前記コントロールユニットの磁石取付用のネジ孔とにネジを通して、前記ブラケットと前記磁石と前記コントロールユニットとを共締め可能に形成されたコントロールユニットの取付構造であって、
前記ブラケットには、前記磁石を磁気的に吸着させるときに、前記磁石の周囲の一部を囲んで位置決めするための位置決め突部が形成されるとともに、
前記位置決め突部は、その一部に開口部が形成されていることを特徴とするコントロールユニットの取付構造。
【請求項２】
前記位置決め突部の形状は、Ｕ字形状としたことを特徴とする請求項１に記載のコントロールユニットの取付構造。
【請求項３】
前記位置決め突部の形状は、Ｃ字形状としたことを特徴とする請求項１に記載のコントロールユニットの取付構造。
【請求項４】
前記位置決め突部の開口部の幅は、前記磁石の外径より広くしたことを特徴とする請求項１乃至３に記載のコントロールユニットの取付構造。
【請求項５】
前記位置決め突部の高さは、前記磁石の厚みより小さくしたことを特徴とする請求項１乃至４に記載のコントロールユニットの取付構造。
【請求項６】
２つの磁石を用いてコントロールユニットとブラケットとを取り付けるために、コントロールユニットの背面には２つの磁石を配設可能とするともに、ブラケットには２つの位置決め突部を形成したことを特徴とする請求項１乃至４に記載のコントロールユニットの取付構造。
【発明の詳細な説明】
【技術分野】
【０００１】
本発明は、電子機器（例えば、オーディオ機器、無線機器など）の本体から取り外したコントロールユニットを、壁等の所望の場所に取り付けるためのブラケットを用いた着脱構造に関するものである。
【背景技術】
【０００２】
従来から無線通信機等の車載用の電子機器では、盗難を防止するために、裏面に磁石を有するコントロールユニットを、当該車載用電子機器の本体から着脱可能とする構造が提案されている。
このようなコントロールユニットを車内に取り付けるときには、予め、鉄等の磁性体材料からなるブラケットを、車内の所望の場所に設置しておく。そして、車載用電子機器の本体から取り外した前記コントロールユニットを、その裏面に配設された磁石を用いて、前記ブラケットに着脱可能な状態に取り付けることができる。前記車載用電子機器の本体は別の場所に設置する。
さらに、前記コントロールユニットは、車内の所望の場所に、着脱不可の状態で取り付けることも要求される。
そこで、特開２００５−３４７２９４号では、磁石を位置決めするためのＯ字形状の突部が形成されたブラケットを、コントロールユニットの筐体にネジ止めする手段が提案されている。
【先行技術文献】
【特許文献】
【０００３】
【特許文献１】特開２００５−３４７２９４号公報
【発明の概要】
【発明が解決しようとする課題】
【０００４】
しかし、特開２００５−３４７２９４号で開示される構造は、コントロールユニットにネジ孔を設ける必要があるのだが、当該コントロールユニットの強度が低下するといった不具合が生じる。
このため、図９に示したようなＯ字形状の位置決め突部を有するブラケットにネジ孔を形成して、図１０に示したように、ブラケットと磁石とコントロールユニットをネジで共締めするといった方法が考えられる。
しかし、このような方法では、ネジを外して、図１０に示したような共締めを解除してコントロールユニットを取り外した状態では、図１１、１２に示したように、ブラケットに設けられたＯ字形状の位置決め突部に磁石が嵌まり込んでいるので、磁石をスライドさせることもできず、指やドライバーの先端を挿入するスペースも無いので、磁石をブラケットから取り外しづらいという不具合があった。
【課題を解決するための手段】
【０００５】
請求項１に係るコントロールユニットの取付構造では、
機器本体の前面に着脱自在に取り付け得るコントロールユニットの背面には磁石取付用のネジ孔が形成され、
前記コントロールユニットを取り付けるための磁性体材料からなるブラケットには共締め用孔が形成され、
前記ブラケットと前記コントロールユニットの間に、取付用の孔のあいた磁石を挟んだ状態で、前記ブラケットの共締め用孔と前記磁石の取付用の孔と前記コントロールユニットの磁石取付用のネジ孔とにネジを通して、前記ブラケットと前記磁石と前記コントロールユニットとを共締め可能に形成されたコントロールユニットの取付構造であって、
前記ブラケットには、前記磁石を磁気的に吸着させるときに、前記磁石の周囲の一部を囲んで位置決めするための位置決め突部が形成されるとともに、
前記位置決め突部は、その一部に開口部が形成されている。
請求項２では、
前記位置決め突部の形状は、Ｕ字形状とされている。
請求項３では、
前記位置決め突部の形状は、Ｃ字形状とされている。
請求項４では、
前記位置決め突部の開口部の幅は、前記磁石の外径より広く形成されている。
請求項５では、
前記位置決め突部の高さは、前記磁石の厚みより小さく形成されている。
請求項６では、
２つの磁石を用いてコントロールユニットとブラケットとを取り付けるために、コントロールユニットの背面には２つの磁石を配設可能とするともに、ブラケットには２つの位置決め突部が形成されている。
【発明の効果】
【０００６】
請求項１の発明によれば、
機器本体の前面に着脱自在に取り付け得るコントロールユニットの背面には磁石取付用のネジ孔が形成され、
前記コントロールユニットを取り付けるための磁性体材料からなるブラケットには共締め用孔が形成され、
前記ブラケットと前記コントロールユニットの間に、取付用の孔のあいた磁石を挟んだ状態で、前記ブラケットの共締め用孔と前記磁石の取付用の孔と前記コントロールユニットの磁石取付用のネジ孔とにネジを通して、前記ブラケットと前記磁石と前記コントロールユニットとを共締め可能に形成されたコントロールユニットの取付構造であって、
前記ブラケットには、前記磁石を磁気的に吸着させるときに、前記磁石の周囲の一部を囲んで位置決めするための位置決め突部が形成されるとともに、
前記位置決め突部は、その一部に開口部が形成されているので、
前記ネジを取り外して共締め状態を解除してコントロールユニットを取り外した後に、ブラケットに磁気的に吸着した状態の磁石を、前記開口部を利用して取り外しやすいという効果が得られる。
請求項２では、
前記位置決め突部の形状は、Ｕ字形状としたので、磁石をスライドさせることによって取り外しやすいという効果が得られる。
請求項３では、
前記位置決め突部の形状は、Ｃ字形状としたので、その開口部から指やドライバーの先端を挿入することによって、磁石を取り外しやすいという効果が得られる。
請求項４では、
前記位置決め突部の開口部の幅は、前記磁石の外径より広くしたので、磁石をスライドさせて取り外すことが容易である。
請求項５では、
前記位置決め突部の高さは、前記磁石の厚みより小さくしたので、ブラケットに吸着した磁石の一部が位置決め突部から飛び出してその部分を押すことができ、磁石をスライドさせて取り外すことが容易になる。
請求項６では、
２つの磁石を用いてコントロールユニットとブラケットとを取り付けるために、コントロールユニットの背面には２つの磁石を配設可能とするともに、ブラケットには２つの位置決め突部を形成したので、コントロールユニットをブラケットに確実に取り付けることができる。
【図面の簡単な説明】
【０００７】
【図１】電子機器の要部の斜視図である。
【図２】前記電子機器のコントロールユニットの背面図である。
【図３】ブラケットの斜視図である。
【図４】ブラケットを用いてコントロールユニットを取り付ける手順を説明する斜視図である。
【図５】ブラケットとコントロールユニットを着脱不可の状態に取り付けた状態の要部断面図である。
【図６】図５の状態から磁石をスライドさせて取り外す手順を説明する要部断面図である。
【図７】図５の状態から磁石をスライドさせて取り外す手順を説明する斜視図である。
【図８】種々の変形例のブラケットの正面図である。
【図９】従来例の着脱構造に用いるブラケットの斜視図である。
【図１０】従来例においてブラケットとコントロールユニットを着脱不可の状態に取り付けた状態の要部断面図である。
【図１１】図１０の状態からネジとコントロールユニットを取り外した状態の要部断面図である。
【図１２】図１０の状態からネジとコントロールユニットを取り外した状態の斜視図である。
【発明を実施するための形態】
【０００８】
本発明に係るコントロールユニットの取付構造に用いる電子機器１は、図１に示すように、本体１１とコントロールユニット１０とからなり、コントロールユニット１０は、本体の前面に着脱自在に取り付けるようになっている。また、本体側面に配置されたリリースボタン３１を押下すると、コントロールユニット１０が前面方向に押し出されて、コントロールユニット１０を本体１１から取り外すことができる。
コントロールユニット１０の前面には、図１に示すように、表示画面、操作用ダイヤルなどを設けた操作パネルが形成されており、コントロールユニット１０の裏面には、図２に示すように、中央部を台地状に突出させた突出部１３を備え、突出部１３の中央部分は、入出力端子１６を設けた形状となっており、前記入出力端子１６の両側には図２の（Ａ）
に示したように、磁石配置部１４がくぼみ状に形成され、磁石配置部１４の中心にはネジ孔１５が形成されている。そして、図２の（Ｂ）に示したように、前記磁石配置部１４に、環状の磁石ＭをネジＳを用いてネジ止めすることができる。
【０００９】
一方、本体１１の前面には、磁性体材料からなる板金が配設されており、コントロールユニット１０に磁石ＭをネジＳを用いて固定した状態で、前記磁石Ｍを前記板金に磁気吸着させることによって、コントロールユニット１０は本体１１の全面に固定される。この状態では、コントロールユニット１０と本体１１とは磁石Ｍによって磁気吸着された状態であり、リリースボタン３１を押下することによって、コントロールユニット１０を本体１１から引き離して取り外すことが可能である。
【００１０】
次に、コントロールユニット１０を本体１１から取り外して、所望の場所に配設する場合について説明する。
【実施例１】
【００１１】
図３に示したような取付用のブラケットＢを用いて、ブラケットＢとコントロールユニット１０とを着脱不可の状態で固定する場合を説明する。
【００１２】
ブラケットＢは  前記板金と同様の磁性体材料からなり、このブラケットＢには、２つの位置決め突部Ｂ１、Ｂ２と、２つの共締め用孔Ｂ１１、Ｂ２１と、複数の取付用孔Ｂ３とが形成されている。
前記位置決め突部Ｂ１、Ｂ２は、互いに内側に向かって開口するＵ字形状であり、その開口部Ｂ４１、Ｂ４２の開口幅Ｗは、前記磁石Ｍの外径Ｄよりもやや大きい。
前記位置決め突部Ｂ１、Ｂ２のＵ字形状は、コントロールユニット１０の突出部１３に対応する形状となっている。
前記位置決め突部Ｂ１、Ｂ２の高さＨｂは、前記磁石Ｍの厚みＨｍより小さい。
前記取付用孔Ｂ３は、当該ブラケットを壁等の所望の場所にネジ止めする際に利用するネジ孔である。
前記共締め用孔Ｂ１１、Ｂ２１は、当該ブラケットをコントロールユニットに取り付けた際、磁石Ｍの孔Ｍ１と、コントロールユニット１０のネジ孔１５とに対応する位置に形成されている。したがって、ネジＳを、ブラケットの共締め用孔Ｂ１１、Ｂ２１と、磁石Ｍの孔Ｍ１とに挿通して、さらに、コントロールユニットの背面のネジ孔１５にねじ込むことによって、ブラケットＢ、磁石Ｍ、およびコントロールユニット１０を共締めすることができる。
【００１３】
つぎに、前記ブラケットを用いて、コントロールユニットを取り付ける手順を説明する。
まず、コントロールユニットの背面に取り付けている磁石Ｍを取り付けているネジＳを外す。
そして、図４に示したように、コントロールユニット１０の背面に、磁石Ｍが吸着した状態で、ブラケットＢにコントロールユニット１０の背面を近づけると、磁石ＭがブラケットＢを引き寄せて、磁石ＭがブラケットＢの位置決め突部に接触して、ブラケットＢとコントロールユニット１０の裏面との相対位置が位置決めされる。この状態では、ブラケットＢの共締め孔Ｂ１１、Ｂ２１、磁石Ｍの孔Ｍ１、およびコントロールユニットのネジ孔１５が直線上に並ぶ状態となる。
そして、直線上に並んだ孔に、ネジＳを差し込んで締め付けることによって、図５に示したように、ブラケットＢ、磁石Ｍ、およびコントロールユニット１０は共締めされる。
このようにコントロールユニット１０が取り付けられたブラケットＢを、両面テープや、ネジなどを用いて、壁等の所望の場所に固定することで、コントロールユニット１０を所望の場所に着脱不可な状態で取り付けることができる。
【００１４】
つぎに、ブラケットをコントロールユニットから取り外す場合の手順を説明する。
まず、共締めしていたネジＳを外して、ブラケットＢをコントロールユニット１０の背面から引き離すと、図６に示したように、磁石Ｍは磁性体材料からなるブラケットＢに磁気的に吸着した状態で残っている。磁石Ｍは、Ｕ字形状の位置決め突部に嵌まり込んでいる。
ここで、図６、７に示したように、前記位置決め突部の高さＨｂは前記磁石Ｍの厚みＨｍより小さいので、磁石Ｍの一部は、Ｕ字形状の位置決め突部から飛び出しており、その部分を押すことができる。また、図３に示したように、前記位置決め突部Ｂ１，Ｂ２の開口部Ｂ４１，Ｂ４２の開口幅Ｗは、前記磁石Ｍの外径よりもやや大きいので、前記磁石Ｍを押すことによって、磁石Ｍはブラケットに磁気的に吸着した状態のまま、矢印で示したように、ブラケットの表面に沿って内側にスライドして、前記開口部を通って、位置決め突部の外に移動することができる。このようにして、磁石Ｍをブラケットの縁まで移動させると、ブラケットから磁石Ｍを容易に取り外すことができる。
このように、位置決め突部が、磁石Ｍの全周を囲むのではなく、磁石Ｍの外径より大きく開口した開口部を備えているので、磁気的に吸着した状態の磁石Ｍを、吸着状態のままでスライドさせて、取り外すことができるのである。
【００１５】
以上のように、磁気的に吸着した状態の磁石Ｍを、吸着状態のままでスライドさせて位置決め突部の外に移動させるためには、位置決め突部は、磁石Ｍの外径より大きく開口した開口部を備えていることが好ましい。しかも、前記開口部は、磁石Ｍを吸着させる位置を決めるための形状が必要である。
このような条件を満足するためには、位置決め突部の平面形状は、図８に示すように種々の形状が可能である。
【実施例２】
【００１６】
例えば、
図８の（Ｂ）に示したように、２つの位置決め突部Ｂ６１，Ｂ６２の開口部を十分に広くして、突部の長さを最小限の長さにして、コントロールユニットの突出部の一部にのみ対応する形状としてもよい。この場合は、磁石Ｍをスライドさせる領域が増えるので、コントロールユニットを取り外した状態では、磁気的に吸着した状態の磁石Ｍを、吸着状態のままで僅かに内側にスライドさせることで、位置決め突部Ｂ６１，Ｂ６２から離脱させることができ、さらにスライドさせることで取り外すことができるのである。
【実施例３】
【００１７】
図８の（Ｃ）に示したように、２つの位置決め突部を連結して１つの位置決め突部Ｂ７１として、共通の開口部Ｂ７２を形成してもよい。この場合は、磁気的に吸着した状態のコントロールユニットの位置は、どの方向にもずれにくい。そして、コントロールユニットを取り外した状態では、磁気的に吸着した状態の磁石Ｍを、吸着状態のままで内側にスライドさせて、共通の開口部Ｂ７２を通ってスライドさせることで取り外すことができるのである。
【実施例４】
【００１８】
図８の（Ｄ）に示したように、２つの位置決め突部Ｂ８１，Ｂ８２の開口部が、共に上を向く方向に形成してもよい。この場合は、磁気的に吸着した状態のコントロールユニットの位置は、上方以外のどの方向にもずれにくいが、上方にはスライドさせて取り外すことができるので、ブラケットを所望の場所にネジで固定しておき、裏面に磁石を装着したコントロールユニットを所望の位置に着脱可能に設置した場合、コントロールユニットを上方にスライドさせることで容易に取り外すことができる。
【実施例５】
【００１９】
なお、ブラケットＢに形成する位置決め突部は、環状に閉じたものではなく開放部を有するものであればよく、開口部を有したＵ字形状に限定されるものではない。
例えば、図８の（Ａ）に示したように、位置決め突部Ｂ５１，Ｂ５２の形状をＣ字形状として、２つの位置決め突部Ｂ５１，Ｂ５２の開口部が磁石Ｍの外径より小さいものであってもよい。この場合は、前記開口部から指やドライバーの先端を挿入して、磁石ＭをブラケットＢから引き離すことで、磁石Ｍを取り外すことができる。
【００２０】
以上の説明は、ブラケットと磁石Ｍとコントロールユニットをネジで共締めして着脱不可の状態で取り付けた場合において、ネジを外してコントロールユニットを取り外した後に残った磁石Ｍをスライドさせて取り外す点について説明したが、ブラケットと磁石Ｍとコントロールユニットをネジで共締めしないで取り付けることもできる。
この場合、予めブラケットを所望の場所にネジを用いて固定しておき、背面に磁石Ｍがネジ止めされているコントロールユニットを、ブラケットに磁気的に吸着させて取り付けることによって、コントロールユニットを所望の場所に着脱可能な状態で取り付けることができる。
【符号の説明】
【００２１】
１  電子機器
１１  本体
１０  コントロールユニット
１５  磁石取付用のネジ孔
Ｍ  磁石
Ｍ１  取付用の孔
Ｓ  ネジ
Ｂ  ブラケット
Ｂ１、Ｂ２  位置決め突部
Ｂ１１、Ｂ２１  共締め用孔
【図１】
2010232289.tif 000003
【図２】
2010232289.tif 000004
【図３】
2010232289.tif 000005
【図４】
2010232289.tif 000006
【図５】
2010232289.tif 000007
【図６】
2010232289.tif 000008
【図７】
2010232289.tif 000009
【図８】
2010232289.tif 000010
【図９】
2010232289.tif 000011
【図１０】
2010232289.tif 000012
【図１１】
2010232289.tif 000013
【図１２】
2010232289.tif 000014